(57)【要約】人間がディスプレイの一部を指差すときに印刷されたディスプレイ（ポスター、プラカード又は販売促進用チラシ）を対話型にするための装置及び方法。ディスプレイの後ろに、低コストの、使い捨て可能、交換可能な基板（紙、プラスチック、段ボール）上に導電性インクで印刷されて、ディスプレイの視覚的に顕著な特性を具えて一列に並ぶよう特別にレイアウトされた静電容量型近接センサが、近接センサ回路に接続されている。予め記録され又は合成された情報を使用した視聴覚又はマルチメディア応答が選択された場合に再生される。【選択図】図２
2009509194.tif 000002
【特許請求の範囲】
【請求項１】
静電容量型近接感知手段を用いて、ディスプレイの近くで見る者（「近接ビューワ」）に特定の方法で応答する対話型情報ディスプレイであって、
前記ディスプレイが、
（ａ）基板（本書では「ポスター」と称する）上に設けられている視覚的な表示と、
（ｂ）少なくとも２の導電体のレイアウトを有する交換可能な非導電性基板（本書では「カスタマイズされたセンサ支持基板」と称する）と、
（ｃ）少なくとも１対の面積的に細長く、近接して置かれているが別々の導電体を終端として、空間的に局在した近接感知領域として機能する各導電体（本書では「電極」と称する）であって、前記少なくとも１の電極対が、前記カスタマイズされたセンサ支持基板及び前記ポスターが一緒に取り付けられた場合に、前記覆っているポスターに関する少なくとも１の選択領域の中に設置され、使用の際に、近くに居る使用者によって選択される前記ポスターの局所的な部分を特定可能な局所的な近接感知機能を与える導電体と、
（ｄ）少なくとも１の交換できない電荷移動コントローラに前記カスタマイズされたセンサ支持基板を接続でき、局所的な近接感知手段として前記少なくとも１の電極対を使用し得る少なくとも１の取り外し可能な接続手段と、
（ｅ）コントローラが接続されると前記近接ビューワに前記ポスターの選択領域の内容に基づいて情報を選択して送ることのできる少なくとも１の交換できない出力装置と、
を有することを特徴とする静電容量型近接センサ手段を用いた対話型情報ディスプレイ。
【請求項２】
前記カスタマイズされたセンサ支持基板が、誘電特性を有するシート材を具えることを特徴とする請求項１に記載のディスプレイ。
【請求項３】
前記導電体、前記電極及び前記少なくとも１の接続手段が、前記ポスターが前記カスタマイズされたセンサ支持基板としても機能するように、前記ポスター自身に付けられていることを特徴とする請求項１に記載のディスプレイ。
【請求項４】
前記電極を含む前記特定の領域が、導電体のペアを有しており、
前記導電体又は前記導電体の各ペアが、横方向の蓄電板として機能し得る２の部分から成る交互に配置された電極の形状を有しており、
前記蓄電板が、使用の際に、前記ポスター及び空気を含む近くの誘電材料を通って伝播する電場によって囲まれることを特徴とする請求項２又は３に記載のディスプレイ。
【請求項５】
少なくとも１の特定の領域が、単極から成る近接センサに関連しており、
前記単極が、使用の際に、前記ポスター及び空気を含む近くの誘電材料を通って伝播する電場によって囲まれることを特徴とする請求項２又は３に記載のディスプレイ。
【請求項６】
前記電極、前記導電体及び導電パッドが、前記カスタマイズされたセンサ支持基板上の所定の位置に固定された１又はそれ以上の導電性材料から成ることを特徴とする請求項４又は５に記載のディスプレイ。
【請求項７】
適切な導電性材料が、導電性インク、導電ペースト、導電パウダー、導電ファイバ、導電フィルム、導電フォイル、導電ワイヤ、ベースメタル（卑金属）、合金、導電性ポリマー又はこれらの組み合わせを有する範囲から選択されることを特徴とする請求項６に記載のディスプレイ。
【請求項８】
前記導電性材料が、印刷、スクリーン印刷、インクジェットプリント、レーザプリント、オフセット印刷、リソグラフ印刷、グラビア印刷、フレキソ印刷、塗装、積層、接着、静電転写、粉末焼結、又は蒸着：を有する範囲から選択される方法を使用することによって、前記カスタマイズされたセンサ支持基板上に配置されていることを特徴とする請求項７に記載のディスプレイ。
【請求項９】
前記導電性材料が、エッチング、機械加工、打ち抜き加工、切断、又は化学的不活性化：を有する範囲から選択される方法を使用して実質的に導電性基板から選択的に除去されることを特徴とする請求項７に記載のディスプレイ。
【請求項１０】
前記カスタマイズされたセンサ支持基板が、紙、ワックス、セルロイド、又はプラスチック樹脂、段ボール、単体のプラスチック材料；ポリエステル、ビニール、ポリアミド、ポリイミド、アクリル、アセテート、アセタール、セルロイド、ポリカーボネート、スチレン、シリコン、ＰＶＣ、ＡＢＳ、ＰＥＴ、又はＰＥＮを有するプラスチック材料、ポリマーフィルム、熱硬化性ポリマーフィルム及び熱可塑性ポリマーフィルムの１以上の混合物を有する材料：が含浸又はコーティングされた紙を有する範囲から選択されることを特徴とする請求項２又は３に記載のディスプレイ。
【請求項１１】
前記カスタマイズされたセンサ支持基板が柔軟性を有しており、２又は３次元の面に付けられ得ることを特徴とする請求項２に記載のディスプレイ。
【請求項１２】
前記ポスターを、前記ディスプレイの印刷表示又は画像を更新するよう別のものに容易に交換可能であることを特徴とする請求項１又は２に記載のディスプレイ。
【請求項１３】
前記カスタマイズされた感知支持基板を、前記近接感知エリアのデザイン又はレイアウトを更新するよう別のものに容易に交換可能であることを特徴とする請求項１又は２に記載のディスプレイ。
【請求項１４】
ビューワに反応する前記ポスターの情報ディスプレイが、反射光で見ることができることを特徴とする請求項１から１３のいずれか１項に記載のディスプレイ。
【請求項１５】
前記ポスターと、前記カスタマイズされたセンサ支持基板と、電極とが少なくとも部分的に半透明であり、前記ビューワに反応するポスターの情報ディスプレイを、電極の可視パターンによる不都合な視覚障害なしに透過光で見ることができることを特徴とする請求項１から１３のいずれか１項に記載のディスプレイ。
【請求項１６】
前記ポスター及び前記カスタマイズされたセンサ支持基板を、前記対話型情報ディスプレイの近接感知性に影響を及ぼさずに、前記ポスター及びカスタマイズされたセンサ支持基板を保護、収容、及び支持するように、最大１０ｃｍの厚さの透明な誘電材料の後ろ又は当該透明な誘電材料の間に取り付けてよいことを特徴とする請求項１４又は１５に記載のディスプレイ。
【請求項１７】
一緒に取り付けられた前記カスタマイズされたセンサ支持基板及び前記ポスターが、近くに居るビューワが前記対話型ディスプレイを介して１又はそれ以上の入力又は出力装置を見るか又はこれにアクセスできるように、少なくとも１の切欠部を有することを特徴とする請求項１又は３に記載のディスプレイ。
【請求項１８】
前記ポスターの構成（大きさ及び形状）が、前記カスタマイズされたセンサ支持基板の構成と実質的に異なっており、前記カスタマイズされたセンサ支持基板の上に取り付けられた１以上の独立した部品から成り、前記カスタマイズされたセンサ支持基板及び前記ポスターが、一緒に取り付けられていることを特徴とする請求項１に記載のディスプレイ。
【請求項１９】
（グラウンド層に）アースされた導電性シートが、前記カスタマイズされたセンサ支持基板の後ろ又は周りに設置されており、その上の前記電極が前記ポスターディスプレイの後ろで発生する無関係のイベントによって不本意に作動することから保護することを特徴とする請求項２又は３に記載のディスプレイ。
【請求項２０】
（グラウンド層に）アースされた導電性シートが、前記カスタマイズされたセンサ支持基板の後ろ又は周りに設置されており、その上の前記電極が後面に設置された別のポスターディスプレイに関して発生する接近に関係するイベントによって不本意に作動することから保護することを特徴とする請求項２又は３に記載のディスプレイ。
【請求項２１】
前記出力装置が、記憶手段の中にポスターに特有の命令のオーバーレイ（ｏｖｅｒｌａｙ）及びデータを受け入れることができるデジタル演算手段を具えており、
ビューワが前記ポスターと対話して非活動中のポスターから得られるのよりも前記ポスターからより多くの情報を取得できるように、１又はそれ以上のライトの活動；記憶された音声の再生、記憶された音楽の再生、記憶された静止画又は動画の再生を有する保存ライブラリーからの再生手段の活動；又はプリントされた材料の配布；を有する範囲から選択される少なくとも１の行為を実行することによって、前記ポスターの局所的及び特定の部分に向けて、ビューワの接近に対して、前記ポスターに特有の命令のオーバーレイとともに、所定の命令の組に従って即座に応答できることを特徴とする請求項１に記載のディスプレイ。
【請求項２２】
光学近接感知、熱近接感知、音感知、支払い感知を有する追加的な入力又は感知手段及びビューワによる模擬又は実際のキーボードの使用を用いてもよいことを特徴とする請求項２１に記載のディスプレイ。
【請求項２３】
前記出力装置が、人間とディスプレイとの対話に応じて、応答時に、携帯型電子データ機器（携帯電話を含むが限定されない）に受信される光線及び無線信号を有するワイヤレス手段によってダウンロードされるデータを提供できることを特徴とする請求項２１又は２２に記載のディスプレイ。
【請求項２４】
さらに、長期にわたるビューワの使用パターンが、前記デジタル演算手段によって記録され、発生した前記ポスターとの対話の量及びタイプを調査するのに関与するビューワが再調査のために取得してもよいことを特徴とする請求項２１又は２２に記載のディスプレイ。
【請求項２５】
対話型ポスターディスプレイを実施するための方法であって、
ａ）前記方法が、前記ポスターになる所定の目的のためのグラフィック画像を選択するステップと、
ｂ）接近して前記ポスターを見る者による対話型の活動であって、ビューワに前記ポスターから明確に生じる出力を発生させる対話型の活動のための開始点として適切な前記ポスター上の１又はそれ以上の領域を決めるステップと、
ｃ）前記ポスター上の前記又は各開始点が対応する密に詰まった電極アレイであって、特定の場所向けの近接感知手段に接続可能なコネクタに別々又は組み合わせて接続された各電極アレイに関連するように、カスタマイズされたセンサ支持基板に電極のレイアウトを設計するステップと、
ｄ）導電性材料を使用して前記カスタマイズされたセンサ支持基板上に前記レイアウトを移すステップと、
ｅ）見る場所で前記カスタマイズされたセンサ支持基板の正面及び保護ケースの内側に前記ポスターを取り付けるステップと、
ｆ）適切なデジタル記憶データの選択したシーケンスの形式で前記ビューワに少なくとも１の出力を形成するステップと、
ｇ）記憶媒体の中に、前記近接感知手段によって別々に認識される少なくとも１の部位への関連と一緒に前記少なくとも１のシーケンスを記憶するステップと、
ｈ）使用時に、見る人間の接近に応じて、選択したシーケンスが適切なインターフェイスを介して再生するステップと、を具えていることを特徴とする対話型ポスターディスプレイを実施するための方法。
【請求項２６】
請求項２５に記載の方法に従って作製された対話型ポスターディスプレイを保持するための第１の方法であって、
前記方法が、使用を監視するステップと、選択したより適切な対話型応答の組とともに前記ステップｆから前記ステップｈまでを繰り返すステップと、を具えることを特徴とする方法。
【請求項２７】
請求項２５に記載の方法に従って作製された対話型ポスターディスプレイを保持するための第２の方法であって、
前記方法が、使用を監視するステップと、選択したより適切な対話型応答の組とともに前記ステップｂから前記ステップｈまでを繰り返すステップと、を具えることを特徴とする方法。
【請求項２８】
請求項２５に記載の方法に従って作製された対話型ポスターディスプレイを保持するための第３の方法であって、
前記方法が、使用を監視するステップと、元のポスターに対して行ったように、前記ポスターを、同じ場所に関心のあるポイントを有しているが異なる外観を有する取替用ポスターと交換するステップと、を具えることを特徴とする方法。
【発明の詳細な説明】
【技術分野】
【０００１】
本発明は、情報提示のためのハードウェアに関し、より詳細には、調べるべき部材の存在を感知して適切な応答を与えるための、静電容量型近接センサ又はこれに似た手段を含む対話型の情報提示のためのハードウェアに関する。特に本発明は、静電容量型近接センサとともに使用するグラフィックディスプレイのための手段に関し、プリントされたセンサ支持シートを適用することにより印刷したグラフィックディスプレイを対話型にするための手段を提供する。
【０００２】
定義及び略語
ポスター：本書においてこの用語は、紙又は他の基板上にプリントされた広告用素材の従来からあるシート、又はテキスト及び／又は図形情報を有する他のシートといった、表示を有するディスプレイ面に言及するために使用される。図１は、ポスターを示す。典型的なポスターの例は、Ａ４サイズよりも大きいが、本発明ではサイズに関して限定されない。
【０００３】
表示：本書においてこの用語は、表面に形成された目に見えるマークに言及するために使用される。全てのケースではないが多くの場合、このようなマークは、グラフィックデザイナ又はこれに似た者の作業によるものである。いくつかの表示は、液晶ディスプレイ（ＬＣＤ）、映像、又は有機発光ダイオード（ＬＥＤｓ）を含むランプによって作り出される。
【０００４】
カスタマイズされたセンサ支持基板（ＣＳＢＳ）は、基板上にプリントされた導電体として大部分が付けられた複数の感知領域のカスタマイズされたレイアウトについて言及するために本書において使用される用語である。感知領域は、対応するポスター等の面上の関心のある外観の空間的な位置に従って配置される。図２は、本発明に係るＣＳＢを示す。
【０００５】
電極：本書においてこの用語は、ＣＢＳ上の接続配線又はワイヤを終端とする導電性材料のパターンに言及するために使用される。各パターンは、相互に嵌合する対を成す電極セットを通常具える。例えば、図２における符号１１５を参照されたい。各セットは、横向きに据え付けられ外側に向いてアクティブな近接センシング領域として機能するコンデンサのプレートとして機能する。電極の相互嵌合させてこれらの間隔を開けるのは、ポスターを通って近くの空間に入る交流電場の強さを増やし、感知領域を形成して集中させるためである。
【背景技術】
【０００６】
ポスター、プラカード、包装及び販売促進は、公衆に情報を与えて伝達するための一般的な媒体である。プリントした内容は、新製品、新たなサービス又は新たな情報を宣伝するために媒体が定期的に更新、交換、又は破棄されるため、一般に寿命が短い。このような媒体は、当然にすぐに古くさくなる。これらの媒体は、時として、録音したメッセージを再生する音響装置で増強されるが、一般に、視覚的な伝達形式である。
【０００７】
効果的な処理を作り出して、現代社会に特有な様々なプレッシャの下で、人間を、欲する情報又は取得すべきであると信じ込んでいる情報に結び付けることが、課題となっている。目に見える展示及び広告は、それらが一般に、ほんの数秒間だけ見ることができるため、情報が少ない。言語独立は、人間が母国語で情報を理解できるのが望ましい。時間の不足、及び視覚、聴覚及び／又は運動技能における身体障害を考慮に入れなければならない。
【０００８】
以前のキオスク型のアクティブな表示は、公共輸送機関の停止駅における標示上の領域にわたって表示する公共輸送機関の時刻表を有しており、そこでは表示された情報に関する選択ボタンを押すことによって、ユーザが関連する情報を取得できる。現在の時刻及び週の日付が、多くの場合情報に含まれる。タッチパネル式のキオスクは、コンピュータとタッチパネルのモニタとを繋ぎ、一般市民に視覚的及び音響的な情報を提供する。それらは、静止画よりもより多くの情報を相当に伝達でき、一般にユーザの関心を長い間掴む。このような方法の主な欠点は、設備が高価でソフトウェアの開発が長期にわたることに加えて、物理的又は環境的被害からシステムを保護する必要性があることである。これら全ての要因により、タッチパネル式キオスクを使用できる適用及び場所が限定される。
【０００９】
ＵＫの企業であるＱｕａｎｔｕｍ  Ｒｅｓｅａｒｃｈ  Ｇｒｏｕｐ（１  Ｍｉｔｃｈｅｌｌ  Ｐｏｉｎｔ，Ｅｎｓｉｇｎ  Ｗａｙ，Ｈａｍｂｌｅ，Ｓｏｕｔｈａｍｐｔｏｎ  ＳＯ３１  ４ＲＦ  Ｕｎｉｔｅｄ  Ｋｉｎｇｄｏｍ）は、ＱＭａｔｒｉｘコントローラと称される一群の電荷移動集積回路を開発して市場に出している。これらのコントローラは、２つのパーツから成る電極アレイを連続的にスキャンして、電極にわたって電荷を送り込み、受け取る充電量の変化を測定する。充電量の顕著な変化が、接近の検出として表れる。本発明で使用するＱＭａｔｒｉｘコントローラの１つは、ＱＴ６０４８６という横型の電荷移動集積回路であり、最大４８の２つのパーツから成る電極への接近又は接触を検出可能な内蔵型のデジタルコントローラである。本明細書は、参考資料として、２００５年８月１６日に、その企業のウェブサイトであるｗｗｗ．ｑｐｒｏｘ．ｃｏｍ．から以下の利用可能なデータシートを取り込んでいる。
１．ＱＴ６０４８６＿８０１．ｐｄｆ  ｒｅ．  ＱＴ６０４８６  ４８−ｋｅｙ  Ｑｍａｔｒｉｘ  ＩＣ．Ｐｒｅｐａｒｅｄ  Ｍａｙ  ２００５．
２．ＱＭＡＴＲＩＸ＿ＤＥＳＩＧＮ＿ＲＵＬＥＳ．ｐｄｆ  ｒｅ  Ｑｕａｎｔｕｍ  Ｒｅｓｅａｒｃｈ  Ａｐｐｌｉｃａｔｉｏｎ  Ｎｏｔｅ  ＡＮ−ＫＤＯｌ  ＱＭａｔｒｉｘ  Ｐａｎｅｌ  Ｄｅｓｉｇｎ  Ｇｕｉｄｅｌｉｎｅｓ．
３．電荷移動検出のための電極設計（Ｈａｌ  Ｐｈｉｌｌｉｐｐによる）
【００１０】
ＱＴ６０４８６装置は、Ｘ−Ｙ方向にスキャンされるマトリクス法で３２又は４８のキーを与え、自己較正し、干渉及び不要波の発生に耐えるよう設計され、静電気損傷（ＥＳＤ）保護を有し、ＲＳ−２３２又はＳＰＩ通信形式で符号化された出力を伝達する。接続した導電面から離れた数センチメートルの手又は指の移動に応じて、導電性電極の数ピコファラドの容量変化を集積回路によって検出可能である。Ｑｕａｎｔｕｍ社のＱＭａｔｒｉｘ集積回路の主要なマーケットは、キーパッド、家庭用電化製品、携帯用機器である（この集積回路は、例として記載されている。製造者は、代わりのものを所有又は開発してもよく、他の製造者は、二次供給者の部品又は異なる静電容量型近接センサを提供してもよい。本適用は、現時点で好適な製造者、装置又は範囲に限定され又は関連があるものと決して読むべきではない）。
【００１１】
従来技術
我々は、本発明の研究のベースとして（一般に静電容量の変化に依存する）電子式近接感知に専念している。
【００１２】
関連する発明（ＢａｃｋらによるＵＳ  ６２６２６６２）が、「電子本」に使用されており、この本には、デジタル記憶された内容にアクセスするために、近接センサに接続されたページの識別のための埋め込みタグと、製本の中に含んでもよい記憶及び再生手段とを有している。この装置は、ＲＦＩＤタグの使用といったものによって、どのページが読まれているのかを判断でき、指の位置が近接センサによって検出され、読み手の指がどこを差しているかに従って、ページに関する補助的な情報を提供する。予め設計されたポスターに特有の位置検出システムはここには開示されておらず、寿命の短い広告又はポスターのために必要に応じた全体的に新しい近接センサのレイアウトを具えたシステムを更新するための手段が開示されていない。
【００１３】
Ｈｅｗｌｅｔｔ  ＰａｃｋａｒｄによるＵＳ  ２００５／００８０８１８は、（コンピュータのスクリーン上にある非ＨＴＭＬベースのページといった）ページ内への非デジタルのアクティブ・コンテンツの挿入を記載しており、有形の媒体に固定された印刷されたページのための（例えば）ＨＴＭＬリンクを提供しようとしている。本発明は、ディスプレイ表示にわたる特別なスタイラス又はペン（例えばＳｅｉｋｏの「Ｉｎｋｌｉｎｋ」）の位置を追跡するためのＸ−Ｙ位置検出器のディスプレイ表示のそばで使用することを仮定している。ポスター上の重ねられた図形に合うよう特別に構成されたカスタマイズされたパターンに配置された使い捨て可能な近接センサの使用に関する示唆がない。一般市民がスタイラス又はペンを使用するのは期待しにくいであろう。
【発明の開示】
【発明が解決しようとする課題】
【００１４】
目的
本発明は、感知領域のカスタマイズされた設置を有する安価で交換可能な近接感知ポスター又は印刷したディスプレイ材料を作製することを目的としており、近接感知手段が、感知領域のカスタマイズされたレイアウトを具え、ポスターのグラフィックデザインと関連する情報又は知識を与える他の電子機器との間の直接的な対応を提供し、又は少なくとも一般市民に有用な選択を提供する。
【課題を解決するための手段】
【００１５】
第１の広い態様によれば、本発明は、近接感知手段を用いてディスプレイの近くで見る者（「近接ビューワ」）に特定且つ計画的な方法で応答する対話型情報ディスプレイを提供し、このディスプレイが、（ａ）基板（本書では「ポスター」と称する）上に設けられている視覚的な表示と、（ｂ）少なくとも２の導電体のレイアウトを有する交換可能な非導電性基板（本書では「カスタマイズされたセンサ支持基板」又はＣＳＢＳと称する）と、（ｃ）少なくとも１対の面積的に細長く、近接して置かれているが別々の導電体を終端として、空間的に局在した近接感知領域として機能する各導電体（本書では「電極」と称する）であって、少なくとも１の電極対が、ＣＳＢＳ及びポスターが一緒に取り付けられた場合に覆っているポスターに関する少なくとも１の選択領域の中に設置され、使用の際に、近くに居る使用者によって選択されるポスターの局所的な部分を特定可能な局所的な近接感知機能を与える導電体と、（ｄ）少なくとも１の交換できない電荷移動コントローラにＣＳＢＳを接続でき、局所的な近接感知手段として少なくとも１の電極対を使用し得る少なくとも１の取り外し可能な接続手段と、（ｅ）コントローラが接続されると近接ビューワにポスターの選択領域の内容に基づいて情報を選択して送ることのできる少なくとも１の交換できない出力装置と、を有する。
【００１６】
好適には、対話型情報ディスプレイが、耐久性のある防水ハウジングに収容されている。
【００１７】
好適には、感知手段が、接近する人間又は手に応じたポスターの裏側の２次元のコンデンサの中の静電容量の変化の感知に基づいている。
【００１８】
好適には、ＣＳＢＳのそれぞれの感知領域が、使用の際に電場によって囲まれる２次元のコンデンサを具える２のパーツからなる交互に配置された電極の形式で基板に選択的に付けられた導電層を具えており、その幾何学的な外形がポスターの選択した領域の境界と一致又はその中に位置する。
【００１９】
好適には、ＣＳＢＳが、誘電特性を有するシート材を具える。
【００２０】
好適には、必要に応じて必要な場合にカスタマイズされた感知レイアウトを交換又は更新し易いように、ＣＳＢＳが低コストの誘電体基板を用いる。
【００２１】
（非矩形状のポスター裏側に嵌るように）ＣＳＢＳは成形した端部を有してよいが、好適には、ＣＳＢＳは、矩形状であり、又は（ディスプレイ、スピーカ、キーボード又は硬貨支払い手段）出力又は入力装置に適合するよう切欠部を有してよい。
【００２２】
ＣＳＢＳは、導電体を壊さずに、巻き付け、折り畳み、切断し又はそうでなければ変形できるが、任意に、それは堅い。
【００２３】
任意に、伸ばすことのできる（さらには伸ばすことのできる導電体を有する）ＣＳＢＳのバージョンを３次元の面の上に設置するために提供してもよい。
【００２４】
任意に、ＣＳＢＳを、例えばパッケージ、セラミック又はガラスの容器、乗物、模型、美術作品、及びショップ什器といった、３次元形状の基板に適用してもよい。
【００２５】
任意に、ＣＳＢＳをポスターを有する層の１又は双方の中に設けてもよい。
【００２６】
好適には、ＣＳＢＳがポスターの後ろの見えない所に設けられている。
【００２７】
任意に、ＣＳＢＳがポスターの前面に見えるように設けられている。
【００２８】
任意に、ＣＳＢＳが、電極及びコネクタに通じる配線に加えて電子機器を担持してもよく：限定されないが、導電性有機材料、エレクトロルミネセント材料、ｅｌｅｃｔｒｏｃｈｒｏｍａｔｉｃ材料、ランプ、発光ダイオード（ＬＥＤｓ）、液晶ディスプレイ、ＬＥＤディスプレイ、フォトダイオード（フォトレジスタを有する機能的に等価な装置）、（静電マイク、磁気スピーカ及び静電スピーカを有する）音アクティブな材料、ワイヤレスアンテナに使用する導電体、及び湿度を感知するのに使用する導電体を有する。
【００２９】
好適には、電極及び少なくとも１の接続手段が、ポスターがＣＳＢＳとしても機能するように、ポスターに付けられている。
【００３０】
好適には、電極を含む特定の領域が、導電体のペアを有しており、導電体又は導電体の各ペアが、横方向の蓄電板として機能し得る２の部分から成る交互に配置された電極の形状を有しており、蓄電板が、使用の際に、ポスター及び空気を含む近くの誘電材料を通って伝播する電場によって囲まれる。
【００３１】
代替的に、少なくとも１の特定の領域が、単極から成る近接センサに関連しており、単極が、使用の際に、ポスター及び空気を含む近くの誘電材料を通って伝播する電場によって囲まれる。
【００３２】
任意に、２のパーツから成る電極の一方が、基板の一方の側にプリントされており、他方が、他方の側にプリントされている。
【００３３】
好適には、電極、導電体及び導電パッドが、ＣＳＢＳ上の所定の位置に固定された１又はそれ以上の導電性材料から成る。
【００３４】
好適には、適切な導電性材料が、導電性インク、導電ペースト、導電パウダー、導電ファイバ、導電フィルム、導電フォイル、導電ワイヤ、ベースメタル（卑金属）、合金、導電性ポリマー又はこれらの組み合わせを有する範囲から選択され、実質的に透明な導電性材料を有する。
【００３５】
好適には、導電性材料が、印刷、スクリーン印刷、インクジェットプリント、レーザプリント、オフセット印刷、リソグラフ印刷、グラビア印刷、フレキソ印刷、塗装、積層、接着、静電転写、粉末焼結、又は蒸着：を有する範囲から選択される方法を使用することによってＣＳＢＳ上に配置される。
【００３６】
任意に、導電性材料が、エッチング、機械加工、打ち抜き加工、切断、又は化学的不活性化：を有する範囲から選択される方法を使用して実質的に導電性基板から選択的に除去される。
【００３７】
任意に、ＣＳＢＳが、画像印刷プログラムによる制御下で基板上に導電性インクを送るインクジェット又はレーザプリンタといった、コンピュータ制御された装置に基板を通すことによって作製される。
【００３８】
好適には、感知領域のカスタマイズされたレイアウトが、コンピュータ駆動する適用手段によってポスター上の特定のレイアウトの表示に従って基板に付けられる。
【００３９】
任意に、１以上のタイプの導電体適用プロセスをＣＳＢＳに適用する；１以上のプロセスが、導電性のワイヤ、テープ、又はシート及び／又は本項に記載の他の電子機器の手作業又はロボットによる取り付け及び／又は除去に加えて、上記のような１以上の方法を有する。
【００４０】
好適には、ＣＳＢＳが、紙、ワックス、セルロイド、又はプラスチック樹脂、段ボール、単体のプラスチック材料；ポリエステル、ビニール、ポリアミド、ポリイミド、アクリル、アセテート、アセタール、セルロイド、ポリカーボネート、スチレン、シリコン、ＰＶＣ、ＡＢＳ、ＰＥＴ、又はＰＥＮを有するプラスチック材料、ポリマーフィルム、熱硬化性ポリマーフィルム及び熱可塑性ポリマーフィルムの１以上の混合物を有する材料：が含浸又はコーティングされた紙を有する範囲から選択される。
【００４１】
好適には、誘電性のシート材料が柔軟性を有しており、２又は３次元の面に付けられ得る。
【００４２】
好適には、ポスターを、ディスプレイの印刷表示又は画像を更新するよう別のものに容易に交換可能である。
【００４３】
好適には、ＣＳＢＳを、近接感知エリアのデザイン又はレイアウトを更新するよう別のものに容易に交換可能である。
【００４４】
好適には、ビューワに反応するポスターの情報ディスプレイが、反射光で見ることができる。
【００４５】
代替的に、ポスターと、ＣＳＢＳと、電極とが少なくとも部分的に半透明であり、ビューワに反応するポスターの情報ディスプレイを、電極の可視パターンによる不都合な視覚障害なしに透過光で見ることができる。
【００４６】
好適には、ポスター及びＣＳＢＳを、対話型情報ディスプレイの近接感知性に影響を及ぼさずに、ポスター及びＣＳＢＳを保護、収容、及び支持するように、最大１０ｃｍの厚さの透明な誘電材料の後ろ又は当該透明な誘電材料の間に取り付けてよい。
【００４７】
任意に、近くに居るビューワが対話型ディスプレイを介して１又はそれ以上の入力又は出力装置を見るか又はこれにアクセスできるように、少なくとも１の切欠部を有する。
【００４８】
任意に、ポスターの構成（大きさ及び形状）が、ＣＳＢＳの構成と実質的に異なっており、例えばＣＳＢＳの上に取り付けられた１以上の独立した部品から成り、ＣＳＢＳの上に別々に取り付けられている。
【００４９】
さらに別の態様では、（グラウンド層に）アースされた導電性シートが、ＣＳＢＳの後ろ又は周りに設置されており、その上の電極が後面に設置された別のポスターディスプレイに関して発生する接近に関連するイベントによって不本意に作動することから保護する。
【００５０】
第２の広い態様では、出力装置が、記憶手段の中にポスターに特有の命令のオーバーレイ（ｏｖｅｒｌａｙ）及びデータを受け入れることができ、そして、ビューワがポスターと対話して非活動中のポスターから得られるのよりもポスターからより多くの情報を取得できるように、１又はそれ以上のライトの活動；保存ライブラリーからの、記憶された音声の再生、記憶された音楽の再生、記憶された静止画又は動画の再生を有する再生手段の活動；又はプリントされた材料の配布；を有する範囲から選択される少なくとも１の作用を実行することによって、ポスターの局所的及び特定の部分に接近したビューワに向けてポスターに特有の命令のオーバーレイとともに所定の命令の組に従って即座に応答できる、デジタル演算手段を具えている。
【００５１】
代替的に、本発明のこのように広い態様は、ポスターの選択した感知する部分に関する有効な選択動作を検出できる装置であって、選択に応じて選択したそれぞれの部分に関する情報を生成及び提供できる装置を具えるものと考えてもよい。
【００５２】
任意に、光学近接感知、熱近接感知、音感知、（読み出し書き込み可能なスマートカードを用いたカードによる支払を有する）支払い感知を有する追加的な入力又は感知手段及びビューワによる模擬又は実際のキーボードの使用を用いてもよい。
【００５３】
好適には、出力装置が、人間とディスプレイとの対話に応じて、応答時に、携帯型電子データ機器（携帯電話を含むが限定されない）に受信される光線及び無線信号を有するワイヤレス手段によってダウンロードされるデータを提供できる。
【００５４】
任意に、長期にわたるビューワの使用パターンが、デジタル演算手段によって記録され、発生したポスターとの対話の量及びタイプを調査するのに関与するビューワが再調査のために取得してもよい。
【００５５】
第３の広い態様によれば、本発明は、対話型ポスターディスプレイを実施するための方法を具えており、本方法が、ポスターになる所定の目的のためのグラフィック画像を選択するステップと、接近してポスターを見る者による対話型の活動であって、ビューワにポスターから明確に生じる出力を発生させる対話型の活動のための開始点として適切なポスター上の１又はそれ以上の領域を決めるステップと、ポスター上の又は各開始点が対応する密に詰まった電極アレイであって、特定の場所向けの近接感知手段に接続可能なコネクタに別々又は組み合わせて接続された各電極アレイに関連するように、ＣＳＢＳ上に電極のレイアウトを設計するステップと、導電性材料を使用してＣＳＢＳ上にレイアウトを移すステップと、見る場所でＣＳＢＳの正面及び保護ケースの内側にポスターを取り付けるステップと、選択した一連の適切なデジタル記憶データの形式でビューワに少なくとも１の出力を形成するステップと、記憶媒体の中に、前記近接感知手段によって別々に認識される少なくとも１の部位への関連と一緒に前記少なくとも１のシーケンスを記憶するステップと、使用時に、見る人間の接近に応じて、選択したシーケンスが適切なインターフェイスを介して再生するステップと、を具えている。
【００５６】
関連する態様によれば、第１の修正した方法が、使用を監視するステップと、より適切な選択した対話型応答の組を具えるデジタル記録されたデータを更新するステップとから成る追加のステップを具える
【００５７】
別の関連する態様によれば、第２の修正した方法が、使用を監視するステップと、必要に応じて、デジタル記録されたデータとともにＣＳＢＳを改良及び更新するステップとを具える。
【００５８】
さらに別の関連する態様によれば、第３の修正した方法が、必要に応じて使用を監視するステップと、元のポスターに対して行ったように、ポスターを、同じ場所に関心のあるポイントを有しているが異なる外観を有する取替用ポスターと交換するステップと、を具える。
【発明を実施するための最良の形態】
【００５９】
ここで提供されている本発明の説明は、単に例として与えられており、本発明の領域又は範囲を多少なりとも限定するものと考えるべきではない。
【００６０】
本明細書を通して、文脈上他の意味に解すべき場合を除き、「具える（ｃｏｍｐｒｉｓｅ）」という用語及び「具えている（ｃｏｍｐｒｉｓｉｎｇ）」又は「具える（ｃｏｍｐｒｉｓｅｓ）」といったバリエーションは、記載された数又はステップあるいは数又はステップのグループを含むが、他の数又はステップあるいは数又はステップのグループを除外するものではないことを意味するものと理解されるであろう。
【００６１】
本発明は、既存の近接感知電子装置の適用を広げることに基づいている。それは、対話型の広告、情報ディスプレイ、切符販売等を提供する；各実施例では、カスタマイズされているが安価な使い捨て可能な電極アレイが、一般的な非導電性材料（図２のＣＳＢＳ）のシートに付けられている。電極アレイは、静電容量型の近接センサ装置の使用に適合しており、特定の画像ディスプレイ、又は簡単のために本書では「ポスター」（「プリントした大きな絵」−定義を参照）と称するシート上にプリントされた他の情報に適合するよう配置される。各電極アレイは、ポスターを眺める人間に対して関心を引くものと見込まれているポスターの部分の裏側にレイアウトされているため、人間の手と特定の電極との間の接近を感知することによって、対話が開始する。一例のポスター−販売促進のテストが欠けているが−が、図１に示されている。ディスプレイが少なくとも近くにいる人間とのモダリティに基づいて対話できるようにすることで、本発明により、人間が関連する情報を探すのを助け、人間が情報を提供するのを間接的に助ける。また、本発明は、近接感知電子装置の１又はそれ以上の出力に応答して、公共の場での１又は複数のメディア出力を提供する。１又は複数のメディア出力を、スタンドアロンのデジタルメディアプレーヤ、又は代替的に、データロギング、使用データの解析、インターネット通信、プリント等の多くの性能を有するデジタルコンピュータによって管理してよい。
【００６２】
番号を付けた以下の項では、広い記載がなされている。
【００６３】
電極のレイアウトの計画
１．それぞれの特定の近接感知領域は、互いに近接して配置されたコンデンサ電極を具える事実上２次元のコンデンサである。電極の嵌合することで、近くの電場を増やして、関連するポスターの特定の部分に関する感知領域に「焦点を合わせる」のに使用する。詳細は、図１及び図２、及び関連する文章を参照されたい。
２．表示（不透明体、半透明体又は透明体）を有する面の部分は、シートの後ろ又はその中に配置された電極から発する電場からの電荷移動によって、接近に敏感になっており、それは、電子製品を支持するのに非常に適していて、使用の際に、最大４８又はそれ以上の別々で（重なっていない）区別できる領域を有する。
３．本発明の目的が、使用者が特定の情報を受け取るのを補助することに注目すると、設計者が、デジタル処理で記憶又は作成した情報に関する利用できる表示を判断して、情報に近接感知部位をリンクさせる照合テーブルを作成する準備プロセスを有する。
４．近接感知部位は、嵌合した配線が対となった組の外観を有する多くの横向きに配置された電極であり；対となった組の間で導電接続せずに、各対が、基板の接続ポイント（図３）である１つの入力部１つの出力部に交互に通されている。共通の入出力線が２又はそれ以上の電極に分岐するように、電極を多重化してもよい。詳細は、図２を参照されたい。
５．本発明によれば、導電性の電極が、付随するポスターの選択した部分に関連して裏紙（本書では、ＣＳＢＳと称する）の上に形成されており、コネクタに通じる接続配線とともに配置されている。対を成す導電体の特定のパターンの形状、大きさを変えることができ、真っ直ぐな又は湾曲した境界線を有してよい。
６．特定のレイアウトを、「ＰＲＯＴＥＬ」（Ａｌｔｉｕｍ  Ｉｎｃ）といったプリント基板のレイアウトを対象としたソフトウェア、又は、「ＡＵＴＯＣＡＤ」もしくは「ＡＵＴＯＳＫＥＴＣＨ」（いずれもＡｕｔｏｄｅｓｋ社製）もしくはこれらに類似するものといった２次元の製図が可能なソフトウェアを使用した、コンピュータ処理によるものであってもよい。それは、広告及び近接感知層を容易に変更又は更新できるように、紙の上において安価で交換可能な導電性電極を配置する意図に従っている。
７．技術レベルでは、電極対から成る近接センサが通常好ましい。このような動作モードは、地面に通じる電気的な基準を備えた導電体の平らな領域を使用した一方がアースしてあるセンサよりも、より安定であるが、幹線周波数及び電波を有するストレイ（ｓｔｒａｙ）電気信号の干渉をより受けやすい。現状のところ好適なＱｕａｎｔｕｍ  ＱＭａｔｒｉｘコントローラが、干渉に対して耐性を示す信号パターンを内部で発生させる。
８．ディスプレイの後ろのグラウンド層が、意図していない接触からディスプレイの後部を保護するために、又はアクティブな領域をより明確にするために、多くの場合望ましい。これは、アクティブなエリアの間を曲りくねる連続的な又は途中で途切れた平らな後ろ側の導電性シート又は導線を具えるか、又はディスプレイを収容する裏に金属が設けられたボックスを具えてもよい。
９．感知エリアのカスタマイズされたレイアウトがポスターを有する層の両側に設けられている場合、両側の同じ電極が、同じ選択エリアを提供するように、片方のポスターの鏡像のレイアウトを有して並べられるのが好ましい。２人が両側で同時にポスターと対話する場合、ポスターのそれぞれの側が別々の電子機器を有していなければ、混乱を引き起こすことになろう。代替的に、グラウンド層を隔離のためにポスター間で積層でき、それぞれの側のポスターがそれ自身の電極層を有しており、一方の電極が他方の電極とは独立して動作する。
１０．レイアウトが、モニタ、スピーカ、テンキー又はキーボード、ＬＣＤディスプレイ、又は他のマルチメディア装置に適合した切欠部又は差込部を有することが可能である。また、硬貨を受け入れるための手段、又はプリントアウトするためのスロット、香り又は音を出すための開口部を設けてもよい。
【００６４】
電極アレイのための紙又は他の基板
１．本方法は、好適な静電容量型近接センサと仮定すると、これらの近接センサが誘電体として機能する必要があるため、電極の取り付けのための実質的に非導電性の面と、近くにある表示部と、ガラス又はプラスチックといった保護用又は他の隣接面とを要する。
２．ＣＳＢＳは、通常、紙、ワックス又はプラスチックを含浸した紙、段ボール、又はアセテート、ポリエステル、ポリビニルクロライド（ＰＶＣ）、ポリカーボネート、ポリエチレン、ポリアミド、及びポリエチレンテレフタラート（ＰＥＴ）、又は様々なプラスチックの合金を有するプラスチック材料といった、柔軟性のある誘電体材料でできている。また、ガラス、ガラス繊維、石膏及び木材等といった柔軟性のない誘電体材料が、カスタマイズされたセンサー支持基板に適した材料であり、より耐久性のあるディスプレイに使用してもよい。
３．ＣＳＢＳ面は、印刷跡が崩れないようにプリントして必要に応じて表面処理によってこの特性が改善されるように、選んだプリント可能な導電性インクに適合する必要がある。設計者は、センサ支持基板及びその導電体が不透過性でよく前面に照射されるポスターと、センサ支持基板及びその導電体が当然ながら半透明又は透明な後面に照射される（半透明の）ポスターとから、選択してよい。
４．カスタマイズされたセンサ支持基板は、湾曲し、折り畳まれ、又はカットされた（例えば）ディスプレイスタンド用のプラスチック又はガラス繊維といった、３次元形状に適用できる柔軟性があって潜在的に伸縮性のある材料である。
【００６５】
導電性インク又は他の導電層
１．今までテストされた材料は、導電性インク、導電性塗料、金属フォイル及び金属線を有する。大部分は、光を通さない傾向にある。導電性インクは、それを素早く基板上にプリント又は配置して、高精度で導電路のような細部を形成することができるため、好ましい。本例は、銀、銅、アルミニウム、ニッケル、グラファイト、及びカーボンの粒子又はフレークが詰まっているインクを有する。ポスター及びＣＳＢＳの「使い捨ての」考え方に従った、低コストの導電性インクが好ましい。
２．半透明の導電性インクを使用でき、好適なタイプは、溶剤及び水性インク、ペースト、予めコーティングされたシートの形式として固形の形で提供されるＡｇｆａ−Ｇｅｖａｅｒｔ社（ベルギー）によるＯｒｇａｃｏｎといった導電性ポリマーである。Ｏｒｇａｃｏｎは柔軟性がある上に、導電性を維持しつつ基板上に伸ばすことができる。（ＬＣＤディスプレイに使用されるような）透明な酸化インジウム−すず（ＩＴＯ）組成は、適用するのに脆くて高価であるが、あるアプリケーションに適用してもよい。
３．電荷移動に適用する有機物導電体又は他の手段は、金属粒子インクに代わる別の例であり、透明で柔軟性がある。
４．さらに、材料は、光の障害がほとんど目立たないように、（アルミメッキを施したＰＥＴシートといった）導電面、コンピュータ駆動されるカッタに適合できる金属フォイル、フレキシブルプリント回路、細い針金、及び金属繊維といった導電性ファイバを有する。
５．（ロボット又は手作業の組み立てによって任意に組み込まれる）追加的なプリントされた電子機器は、エレクトロルミネセントパネル、（任意に有機物）発光ダイオード、白熱灯、ｅｌｅｃｔｒｏｃｈｒｏｍａｔｉｃ装置、静電又は圧電スピーカ及びマイクロフォン装置、及び液晶ディスプレイ（ＬＣＤｓ）を有する。
【００６６】
プリント又は他の配置プロセス
１．本発明は、安価、使い捨て可能、フリー形式のレイアウトを実現することを目的としているため、最大Ａ０サイズ又はそれ以上の大きさの形式での導電性インクのインクジェット印刷といった技術が適している。これは、広告を準備及び印刷する事業にとって簡単で使用し易いプロセスである。スクリーン印刷及びオフセット印刷といった他のプリント方法は、高速の導電性インクの適用を提供し、ＣＳＢＳの大量生産に関して、より費用効果がある可能性が高い。
２．インクジェット印刷が容易に規則正しい形状に適用できるが、絵画又はロボットによる吹き付けを、３次元の物体に対する最善の選択肢としてもよい。
３．手ごろな価格で利用可能な適切な化学反応−すなわち、（アルミニウムに対する苛性ソーダ、銅に対する塩化鉄、又は透明なインクに対する適切な腐食液といった、活性を有する）使用可能な写真感光材料及びこれに適合する化学腐食液があるならば、フォトリソグラフィエッチングを複雑な形状に適用してもよい。
４．カットビニール表示で広く使用されているようなプログラム制御するカッタを、コンピュータ制御によって金属フィルム又は金属化されたプラスチックシートから電極アレイをカットするのに使用できる。
５．部品パーツを組み合わせることによってカスタマイズされた導電性パターンをレイアウトするための他の方法は、接着剤、テープ又はラミネート加工で基板に付けられたワイヤ又は予めプリントされた電極を含むパッチを有する。
【００６７】
コネクタ
１．再使用可能なコネクタが本発明の部分を形成しており、電荷移動コントローラ及び関連する電子機器を、電極を有するカスタマイズされたセンサ支持基板（ＣＢＳ）に接続する。電子機器は、好適にはディスプレイのそばにおくか、又は接続ケーブルの端部に置いてもよい。多くの別々の接続部を必要とする可能性があり、現場での間違いのない交換を必要とするため、コネクタは極性を有してインデックス付きである必要がある。好適な要件は、ゼロ挿入力のために、極性を有する、ＣＳＢＳ上の１列の導電性インクパッド（図２の符号１１０）と確実に接触可能なラッチングコネクタであるが、このインクパッドは、使用する材料に応じて一般に０．２ｍｍから０．８ｍｍの範囲で厚さを変えてもよい。使用するパッドの数を近接センサチップの性能に応じて変えてもよい。
２．図６、図７及び図８に示すように、適切なコネクタ６０３がそのような目的のために構成されている（図８は、わずかに分解した図を示す）。コネクタは、再使用可能な電子機器モジュール６０１を収容するためのパーツを有して、ＣＳＢＳに直接接続されるため（図３参照）、可能な限りケーブルランを短くする。開けたときに、コネクタ６０３はカバのそれに似た口を成す。「歯」は、コネクタの片側に沿って設けられたキャストシリコンゴムでできた一列の弾力性のあるコーン６０４を具える。それぞれの歯は、図６の回路の残りの部分に内部接続されたプリント回路基板パッドに面しており、ＣＳＢＳ上のコネクタに使用するために等間隔で一列に配置される。コネクタの蓋を閉じると、各コーンが、下にあるプリントした導電パッドを対応する回路ボードパッドに押し付けるため、２つのパッド間に一様な接触圧が加わる。コネクタは、両側の摺動可能なキャッチ（６０２′，６０２）によって閉じた状態で掛けられている。キャッチを外すと、コネクタが飛び出して、解放及び再使用するように再び開く。コネクタの不在による（任意の）非対称性を、ＣＳＢＳの型抜き部分及びコネクタの中のキーとともに使用して、コネクタを一方向のみに挿入できて、（摺動方向横向きに）対応するパッド対を設置し易くするように、コネクタに極性を持たせてもよい。近接センサ集積回路をコネクタの近く又はその中に設置することで、感知用の長いリード線によるストレイ信号ピックアップを最小限にし、インダクタンス、キャパシタンスの変化及び感度を減らす長いリード線のトータルのキャパシタンスを最小限にする。
３．代替的な構成では、ゼロ挿入力（ＺＩＦ）コネクタがポスターに取り付けられ、フラットフレキシブル回路（ＦＦＣ）ケーブル又はリボンケーブルを介して、電荷移動コントローラ及び関連する電子機器を有する遠隔回路に接続されている。標準的な電子機器コネクタをＦＦＣの両端に使用してよい。このような代替例は、スペースの制限により関連する電子機器をＣＳＢＳに直接取り付けるのが現実的ではなく、ディスプレイケースの中にポスターを設置する場合に有用である。
【００６８】
関連する電子機器
１．電子機器モジュール（図５、図６Ａ及び図６Ｂ参照）が、様々なＣＳＢＳシート及び様々なポスターを同じ電子機器モジュールとともに使用するように、指定されたコネクタ部（図３における符号１１０参照）で、カスタマイズされたセンサ支持基板（ＣＳＢＳ）に接続されている。双方の電子機器モジュールは、含まれているソフトウェアが時々更新されるが、その多くがポスター特有であるため、再使用可能である。図４では、第１の電子ユニット６０１の中の近接センサ又は電荷移動コントローラ４０７がＣＳＢＳの多極のコネクタに直接接続されている構成が示されている。本例の第１のユニットは、図５に図式的に示すように、第２の又はメイン電子機器ボード５００上の同じようなコネクタ５０６に通じるシリアルデジタルデータコネクタ５０６′に配線された（マイクロプロセッサを具えてもよい）シリアルインターフェイスデバイス４０８を使用する。第２又はメイン電子機器ボードは、データバス５１１と、コネクタ５０２と、（コネクタ５０７によって供給される）電源装置５０２と、（読み出し専用（プログラム）メモリ、クロック等といった補助装置を具えた）中央処理装置チップ５０３と、（いつ何を表示するかの）図形特有の命令及び再生すべき音声及び（映像を含む）写真を保存するためのフラッシュメモリ又は似たような保存場所５０４と、スピーカ端子５０８，５０９に接続された音声出力装置（「サウンドカード」）と、ディスプレイ装置にコネクタ５１０を介しておそらくよく知られているＶＧＡフォーマットで映像信号を供給する映像出力装置（「ビデオカード」）とを有する。符号５１２は、フラッシュメモリに新たな図形特有の命令及びデータをダウンロードし、必要に応じて使用情報をアップロードするために使用するメンテナンスポートを表している。このようなパーツのセットを、内蔵型の使用のために供されるものとして小型の「ＰＣマザーボード」等と置き換えてもよい。
２．大きなサイズ用及びサービスの利用し易さのために、ボックスの設置をパネルの中以外にして、破壊行為又は盗難を最小限にしてもよい。
３．再使用可能な電子機器の重要なパーツは、近接感知手段である：ここでは、静電容量型近接感知のための電荷移動コントローラチップ（４０７）である。現状の選択肢は、多くの特定可能な感知エリア又は感知ボリュームのうちの１で、物体のある方向を適切に示すデジタル出力を与えるＱｕａｎｔｕｍ  Ｒｅｓｅａｒｃｈ  ＧｒｏｕｐのＱＴ６０４８６である。このような出力を、再生すべき特定の情報のセットを選ぶために使用する。
４．追加的なバリエーションは、図５に示すようなユニットの中でのデジタルコンピュータ装置の使用を有しない。現在購入できる様々なデジタルメディアプレーヤを使用してもよい：一例が、「Ｐｒｏｇｒａｍｍａｂｌｅ ＭＰ３  Ａｕｄｉｏ  Ｐｌａｙｅｒｓ  ｆｏｒ  Ｋｉｏｓｋ  Ａｐｐｌｉｃａｔｉｏｎｓ」とされる。（ＩＴＢ  Ｃｏｍｐｕｐｈａｓｅ及び他の供給者）
５．電子機器モジュールは、静電容量型近接センサによって与えられるのよりも大きな起動範囲を具えるセンサに対応してもよい。例えば、図４、図６Ａ及び図６Ｂに示す反射光センサ（６０９）は、最大１０メートルの起動範囲を有するプラグインモジュールであり、ビューワに対話型情報ディスプレイを使用する気を初めに起こさせるように、マルチメディア出力を起動できる。
６．電子機器モジュールは、スピーカ、モニタ又はディスプレイ、プリンタ、制御可能な光、プリンタ、又は香水の霧吹きといったよくあるものではない装置を含む（これらに限定されない）出力手段を起動するための命令をビューワに向けて開始する。
７．電気機器モジュールは、サーブスを行う間に使用するための状態ライトを有してよい。
８．電子機器モジュールは、任意に、遠く離れた装置又は場所に有線又はワイヤレス通信機器によって情報を送ってもよい。
９．電子機器の電源は、簡単なバッテリ、充電式バッテリ、当駆動電源、ソーラーパネル及びそれらを管理するもの、又はダイナモのうちの１又はそれ以上でよい。
【００６９】
ポスターの取り付け
１．ポスター及びＣＳＢＳは、（例えば）壁、ガラス又はプラスチックに面したフレームの後ろ、ディスプレイキャビネットをも形成するガラス又はプラスチックシートの後ろ、ショーウィンドウの内側、又はアクリルのメニューホルダといった独立したディスプレイの中に取り付けてもよい。詳細は図４及び関連する文章を参照されたい。
２．本発明は、３次元の「ポスター」にすることが可能である。ポスター及びＣＳＢＳの双方に使用する柔軟性のある基板を、湾曲したディスプレイのフレーム、折り畳まれ又はカットされたディスプレイのフレーム、導電体を面に直接付ける場合に任意に湾曲した面、又は柔軟な基板及び導電体を面の周りに伸ばすか又は成形できる場合、任意に湾曲した面に組み込んでもよい。
３．最大約１０ｃｍの厚さの保護用の透明シートを、透明な材料の誘電性を維持し又は裏側にある電極の静電容量に関する近くに居るビューワの効果を増大させつつも、ＣＳＢＳを具えたポスターの間に設置できる。適切な材料が、ガラス及びポリカーボネート樹脂を有する。
【実施例１】
【００７０】
実施例１．広告用ディスプレイ
図１は、スポーツカーの広告１００のポスターを示しており、対を成す静電容量に敏感な電極セットのフレキシブルシート上に対応するレイアウトが、図２において符号１２０として示されている。フレキシブルシート１２０は、使用中にポスター１００のすぐ後ろに置かれることを意図しており、コネクタ１１０によって第１の電子機器ブロック６０１に接続されている。本例のスポーツカー及び特定の電極のレイアウトを支持する対応するシートは、当然ながら、以下のような多くの他のイメージ又は他のアプリケーションとともに使用する本発明の範囲を制限するものではない。例えば、指を近付けることに対して敏感に作られたエリアには、密集した相互に嵌合する電極セットが設けられ、（手又は指といった）導電性物体を近付けることで電極間の電荷を変えるように、各電極に交互に電圧を印加する。
【００７１】
設計プロセスは、スポーツカーの写真の中で何が通行人に注目されるかを考えることから始まる。人間がより多くの情報を要求する１又はそれ以上の分野が選ばれる。本例では、ヘッドライト１０１、エンジン１０７、ホイール／ステアリング１０４、トランク１０３、フロントガラス１０２及び排気管１０５について興味をかきたてそうであると見なされて、裏側に電極アレイを設置することによって、これらに感知エリア（ヘッドライト１１１、エンジン１１７、フロントガラス１１２、ホイール／ステアリング１１４、トランク１１３、及び排気管１１５）が設けられる。各電極ペアは、導電性材料のラインによってコネクタアレイ１１０に接続されており、例えば電極１１５には、配線１１６及び配線１１３が設けられている。使用の際に、人間がポスターのアクティブな部分；例えばヘッドライト１０１に手を近付けると、裏側の電極アッセンブリ１１１が、微小であるが測定可能な静電容量の変化を示し、これがコネクタ１１０に取り付けられた電荷移動コントローラによって感知される。近付けたことを感知すると、接続された電子装置（図５参照）からヘッドライトの特性を説明する音声シーケンス、又は映像シーケンスといった所望の情報が送られる。
【００７２】
図４は、ポスターの取り付け例の断面を示しており；本例は、バックライトではなく入射光によって照らされる。符号４００は、非常に誇張された厚さ部分を具えたディスプレイボードを通した水平面の部分を全体として示す。符号４０１は、人間（目：４１０Ａ）が、例えば一枚の透明ガラス−好適には強化ガラス、又はプラスチック材料を具えた任意の窓４０２を通して、架台、フレーム又は保護ケース４０６の内側のポスターを見るための開口部を示す。その物理的な目的は保護である。また、ガラス４０２は、特に最も近い電極アレイに対する人間の手（４１０Ｂ）の静電容量効果を増大させる傾向にある誘電性としての有用な特性を有している。符号４０３は、非導電性のポスター又は表示−例えば図１のスポーツカーの例を参照−を有する他のシート材である。また、ポスターは、（静電容量ベースの近接センサを使用した場合）好適には誘電体材料であり、印刷処理に適合する。符号４０４は、図２の正面図に示すような導電性パターンを有する交換可能な非導電性のシートであり、図１において特定の興味があると見込まれているポイントと空間的に関連した方法で配置されている。符号４０５は、必要とする一定の物理的且つ電気的安定性が一定の密着を要しないが、フレーム４０６の中で層全体を押し付けるのに使用する、弾力性のある任意のバックシートである。接着剤又は他の材料、静電引力、さらには、締まり嵌めを使用してもよい。
【００７３】
特に、ディスプレイボードを屋外で使用する場合、好適には、窓４０２一面にわたる開口４０１が作られるフレームの端部の周りに耐水シールが設けられている。
【００７４】
透けて見えるようにするために、バックライトディスプレイ、層４０５を、ケースの後面に向かって熱が放射される拡散体の後ろの白色発光ダイオードのアレイを使用するものといった光源に変えてもよく、層４０４の電極は、効果的に透明な導電体又は半透明の導電性インクから成っていてもよい。ポスター４０３は、ＰＥＴ（Ｍｙｌａｒ（商標））シート又は写真用フィルム上のインクといった透明なものであってもよく、ガラス枠（又は透明なプラスチックシート）４０２が保護カバーとして機能するよう保持される。
【００７５】
ディスプレイ全体は、双方向に向いていてもよい。電極支持層の真下に導電性のグラウンド層を使用することで、一方の電極をグラウンド層の向こう側の他方の電極の事象から絶縁するため、双方向ディスプレイが導電性のグラウンド層のコア及び４０１−４０２−４０３−４０４（グラウンド層）４０４−４０３−４０２−４０１の列から成る断面を有する。ポスターは、目に見える電極パターンで意図的にプリントでき、これは透明性の問題を克服して、一枚のシートが図２の符号４０３及び符号４０４の機能を実行でき、費用を節約して取り替えの煩わしさを軽減する。
【００７６】
交換式の態様の最大化
１．ベーシックイメージ４０３（又は図１ａ）を新たなポスターに変える場合、一般的な材質のシート上にある裏側の電極アレイ４０４及び記憶装置モジュール５０３の中の対応する情報を、新たなレイアウト及び新たな情報のセットに変えてもよい。
２．シート（ＣＳＢＳ）上の電極アレイ４０４を、不良品であると思われる場合、他の時期に取り替えることができる。
３．使用記録（以下を参照）が、ポスター４０３のある部分が高レベルの注目を予想外に集めていることを示す場合、同じポスターのまま電極アレイ４０４を修正及び取り替えて、これらの部分への関心をもっと詳細に解明することができる。これにより、何についてちょうど関心が有るかに関するより多くの情報とともに、より良好な顧客フィードバックを与える。また、記憶装置モジュール５０３内の対応する情報が、一度に増大してリロードされ、増加する詳細を反映する。
【００７７】
ケース４０６は、必要に応じて電極層４０４及びポスター層４０３の交換を行えるように、開けることができる。電極アレイ（図３及び説明を参照）上の符号１１０は、フィールドプラグ着脱可能なコネクタであり、ＣＳＢＳ上の交換可能な電極アレイに、交換できない電極ユニット６０１（図４及び図６）を接続するために使用される。このようなユニットは、応答送信ユニットとして機能する電子情報セレクタである。また、このユニットは、ポスターの近くに居るが近接センサの範囲から出た人間を感知するために使用するプラグ着脱可能な赤外線センサ６０９を有している。情報を、例えば、特定のテキストファイル、音声ファイル（．ＷＡＶタイプが本例である）、イメージファイル（例えば．ＪＰＧタイプ）及びビデオファイル（例えば．ＭＰＧファイル）として装置５０３に記憶してもよい。他のアプリケーションでは、情報を、表計算ソフト、実行コードとして記憶し、又は必要に応じてウェブページにリンクさせてもよい。代替的に、このユニットは、組み込んだ電子機器で使用するために小型化した形式で市販されるパーソナルコンピュータのマザーボードを具えてもよい。
【００７８】
ボックスの設置をパネルの中以外にして、大きなサイズ及びサービスの利用し易さのために、破壊行為又は盗難を最小限にしてもよい。記憶モジュール５０３は、特定の電極アレイ１１０とともに特定のポスター１００に関する情報を保持しており、フラッシュＲＯＭ（「ＵＳＢメモリ」）等、小さなハードディスクドライブ、又はそれらと機能的に等価なものへのシリアル（ＲＳ−２３２又はＵＳＢ又はこれに相当するもの）接続を用いてポスターを交換する際に、同時にこの記憶モジュール５０３を変更し、コンテンツを更新してもよい。更新を要する度に有線又は無線ネットワークを介してサーバから情報を取得することは、費用効率が高く、より扱い易い。
【００７９】
また、電子機器ボックスの任意のバージョンは、利用可能な各センサとの真正のやりとりの数（及び時刻といった対応するデータ）の記録を取るための手段を有しており、このような情報に時折遠隔アクセス可能である。他のオプションは、電子機器モジュールに接続された、携帯電話、有線の電話線、又はワイヤレスのネットワークノード、通信インターフェイスを有しており、状態及び使用データをリモートで読み込んでよく、修正された情報をメモリモジュール５０３又は領域の至るところに配設された全てのポスターディスプレイ装置に送信してもよい。
【００８０】
図９のフローチャートは、ディプレイの作成及びメンテナンスを示す。ボックス９０１は、専門家によるポスターの評価を表している。ボックス９０２は、近接的に感知させるために、ポスターの視覚的に区別できるエリアを特定することを表している。経路９０３は、２の平行する動作を示すよう分岐する。ボックス９０４は、基板上の近接感知電極の交換可能なアレイの設計及び準備を表している。ボックス９０５は、ポスターの裏への基盤の組み込みを表している。ボックス９０６は、別々に選択できるポスターのエリアに対応するマルチメディア情報の準備を表している。ボックス９０７は、そのような情報及びそれをポスターに配設するための手段の組み込みを表している。ボックス９０８は、ポスターの各部分を実際に公共の場で使用することについてのモニタ及び判断を行うことを表している。ボックス９０９は、ボックス９０１で囲まれる開発プロセスを繰り返すべきか、それとも改良すべきか？を問う決定ステージを表している。そのような場合、ライン９１０は、ボックス９０１に入るようにする。
【００８１】
公共の場での対話を電子的に補助するモニタリングこのようなタイプは、さらに広告キャンペーンを準備する場合、特に通り過ぎる人々の数を数えるための装置に接続される場合に有用なようである。
【実施例２】
【００８２】
実施例２．デジタルコンピュータを含むバージョン
本発明は、好適には、Ｗｉｎｄｏｗｓ（登録商標），Ｌｉｎｕｘ又はＭａｃのオペレーティングシステム又は以下のようにそれらの改良型を動作させることができる、ラップトップ又は一般的な他のパーソナルコンピュータとの使用と一体となっていてもよい。
１．特定のポスターに適合するシート上にプリントされた上記のような使い捨て可能な電極アレイの概念が、以下の（２）に再接続可能な接続部とともに、維持される。
２．集積回路近接センサが、図４のボックス６０１で示すように、実際の電極アレイの近くのコネクタに組み込まれているか又はコネクタのそばにある。
３．ここで、図５は、ラップトップ又は一般的な他のパーソナルコンピュータを具える。ＰＣへのデータリンクは、ＲＳ−２３２機構が一般的なパーソナルコンピュータにおいて今や実質的に旧式であるため、好適にはＵＳＢ形式のリンクを具える。ＵＳＢデータにＲＳ−２３２を変換する変換モジュール、又は赤外線リンク又は８０２．１１ｇ形式のような無線ネットワークといったオプションは、近接センサ集積回路そのものがこのような様式を提供しない場合、必要となる可能性がある。
４．電子機器モジュールで以前は操作された機能が、ソフトウェア制御の下、ＰＣによってここでは操作される。ソフトウェアは、以下の機能を実行してよい：
ａ）保存ファイル又はその場にふさわしい合成音声による、特定のアクティブな近接センサに適した音響（音声、音楽、音）の提供
ｂ）保存ファイル、又は（時刻といった）入力データ及び保存データの組み合わせに従って図形を形成することによる、図形及び／又は映像の提供
ｃ）プリントアウト、チケット、チラシ等の形式によるハードコピー出力の提供
ｄ）使用統計の作成及び維持；さらに、不完全履行の監視
ｅ）リモート・サーバに対する通信回線を介した、状況、統計、ダウンロードファイル等といった情報のやりとり
１．任意に、１のコンピュータが、ネットワークによっていくつかのポスターを制御及び監視してもよく、各ディスプレイボードに音声又は図形又は他のメディア出力を返送してもよい。このようなオプションは、複数のポスターを表示するような状況でコストを下げるであろう。
【実施例３】
【００８３】
実施例３．教育での適用
本適用では、指の位置と情報との間の直接的関係が利用される。美術史を教えることを考える。絵画の複製がポスターを具えることができる。意味又は意義を有する絵画の各部分に、近接電極セットを備え付けることができ、（音声ユニットといった）情報提供装置に、対応する部分についての関連する短い注釈を設けることができる。そして、人間が、（例えば）レオナルド・ダ・ビンチによって描かれた「白貂を抱く婦人（Ｌａｄｙ  ｗｉｔｈ  ａｎ  ｅｒｍｉｎｅ）」の中のミラノ公爵の側室に抱かれた白貂の前腕を指差す場合、筋肉隆々とした前腕の象徴的な意義がその公爵の権力を暗示していることを、その人間に聞かせる。その人間が少し移動して白貂全体を指差すと、音声ユニットが白貂について説明して、イタリア語の「白貂」という言葉に関するダビンチが使用したしゃれや、その公爵の名前に言及する。このような絵画の最大２０，３２，又は４８の特定のエリアを選んで、それぞれについて注釈を用意することは簡単であろう。ポスター、電極アレイ、及び情報を満載した電子機器を、補助教材として学校に配布できる。これは、絵画の関心のある部分を指差す行為と反応（それについて聞く）との間の密接な関係のため、効果的な教育方法である。
【００８４】
別のアプリケーションは、隠れているか又は透けて見える電極を使用するものと思われるが、医師又は放射線技師に教えるのに使用するＸ線のバックライト（レントゲン写真）に関する。診断で使用するＸ線の特性は、本質的に非常に微小であり、熟練した放射線技師がレントゲン写真を診察するための能力を高め得る。本発明によって返される選んだ情報が直接的であることで、Ｘ線についての説明を教えるプロセスを良いものにする。
【００８５】
同様なアイデアを、化学の周期律表、又は掛け算表といった、写真、チャート又は表として表される任意の教材に適用できる。
【実施例４】
【００８６】
実施例４．身体障害の患者
脳梗塞のような神経障害を患っている人々は話すことができない。ある人は、「ＹＥＳ」及び「ＮＯ」が書かれた−さらに、おそらく「ＨＥＬＰ」と書かれ又はその代わりに色付けされ又は模様のある大きな部分を具えた、カードを指差したり又は触ることによってのみコミュニケーションを取ることができる。本発明により、その人が使用できる個人の能力のレベルに合ったカスタマイズされたデザインのカードによって、介護スタッフとコミュニケーションを取ることができる。患者が回復するにつれて、対話型のカードを、より複雑なものに交換でき、その人の能力を高める。使い捨て可能で安いという本発明の性質が、（ａ）滅菌不足の場合の低コストの交換、（ｂ）必要に応じた大きな面の使用、及び（ｃ）どのようなレイアウトが特定の患者に合っているかをテストするためのデザインの変更のし易さを提供する。
【実施例５】
【００８７】
データ収集を具えた展示会ユニット
（自動車ショー、家庭用装飾品ショー、ボートショー等といった）展示会のブース用として、本発明は、キオスクの所有者によって採用される、本節において説明したようなユニットを提供し、（選んだポスターの特定の部分を詳細にサポートするカタログをリアルタイムでプリントアウトするような）ユーザがロードする適切なタイプの情報ディスペンサに接続された再使用可能なポスターのためのサポートを有する。本方法を具えたポスターの外見は、独立して立っているか又は目の高さでブースの壁の上に置かれているフレームに都合良く保持された、任意のガラス又はプラスチックの前面を具えた平らで薄いシートである。
【００８８】
展示会のブースの関心のある統計の自動収集は、特に興味深い。ショーにやって来ると、訪問者は、多くの場合、ＲＦＩＤ（高周波識別）応答装置を含む身に付けるための名札を与えられる。これは、質問装置が応答装置と通信するのを許可する訪問者の名前及びアドレス情報に伝えられるか又は接続されている。訪問者が近接感知ディスプレイと対話すると（図４の符号４００）、近接したこととともにＲＦＩＤデータが読み込まれる。キオスクの所有者は、関心のある表現をフォローし、訪問者が関心があるか又は質問するポスターはどのような形態なのかを正確に知らせる。国のプライバシー法がそれを要求する場合、適切にラベル表示されているポスターのボタンを押して、このようなデータを公表しないことができる。
【００８９】
産業上の利用可能性及び利点
本発明は、ポスター、プラカード及びチラシ広告を対話型にするための低コストの方法、又は、情報の提供又は販売、体験の再現、製品サンプルの提供、娯楽、又は教育用としての低コストのベターな方法を提供する。
【００９０】
プリントしたポスター及びカスタマイズされたセンサ支持基板に使用する低コストの材料により、ポスター及び関連するセンサのレイアウトを定期的に取り替えることが実行可能となる。これは、販売を促進用のディスプレイの寿命が短く頻繁に更新する広告主及び小売業者の興味を引くであろう。
【００９１】
支持フレームを含むわずか数ミリメートルの厚さの対話型ポスターを作製できる。基板は薄くて柔軟性があるため、湾曲又は成形した興味をそそるディスプレイを作製できる。
【００９２】
対話型ポスターを、壁に掛けるか又は壁の中に取り付けたり、ショーウィンドウに置いたり、テーブル又は床の上に置いたり、そうでなければ、独立したディスプレイスタンドの上に置いてもよい。ビルの中、避難所の中、街路に設置される公共物、又はインフォメーションセンターでの適用にふさわしい。
【００９３】
プリントした対話型ディスプレイは、従来のタッチパネル式のキオスクよりも作製するのが非常に安価であり、広告主が破壊行為又は天候による破損への不安を普通に気にしていなければ、屋外に設置できる。
【００９４】
フレームへのポスター及びカスタマイズされたセンサ支持基板の物理的な積載プロセスは、簡単であり、デジタル保存情報の取り替えを含めて、１分以内で行い得る。
【００９５】
対話型ポスターに、分析者が販売運動のために、どの部分が最も一般の人々の気を引くのかを判断できるように、ソフトウェアの双方向ロギング手段を設けてもよい。
【００９６】
本方法により、人間の存在及びに人間の指差しに反応する「活動的にコミュニケーションを取れる」製品広告、販売促進、教育及び情報提供ディスプレイの作製が可能となる。その結果は、人間が知りたいことを選択して、ディスプレイの前に長い間人間を留まらせ、従来のプリントしたポスターよりもより多くの情報を提供する対話型のディスプレイである。
【００９７】
最後に、本書に記載及び／又は図示した本発明の範囲は、特定の実施例に限定されないことに留意されたい。当業者は、上記の特許請求の範囲に記載の本発明の範囲及び精神から逸脱することなしに、様々な修正、追加、既知の同等のもの、及び代用が可能であることを理解するであろう。
【図面の簡単な説明】
【００９８】
【図１】図１は、ポスターの一例を示す。本例は、スポーツカーの画像である。
【図２】図２は、ポスターのすぐ後に配置された交換可能な紙状の裏紙（「カスタマイズされたセンサ支持基板」又はＣＳＢＳ）上に、図１の画像の中の見た目で区別できる要素に合致するように配置された電極セットの一例を示す。
【図３】図３は、裏紙であるカスタマイズされたセンサ支持基板上のコネクタパッドの詳細を示しており、コネクタパッドが、電荷移動コントローラ及び関連する電子機器を含むプリント回路基板に接続される。
【図４】図４は、大きく誇張された断面方向における、典型的なディスプレイの中に含まれる層を示す。
【図５】図５は、交換可能な紙状のカスタマイズされたセンサ支持基板（ＣＳＢＳ）上のコネクタに取り付けられ、対話型応答を作成するよう備えられたコンピュータユニットに接続されているマイクロプロセッサユニットの一実施例のブロック図である。
【図６】図６Ａ（正面図）及び図６Ｂ（図６ＡのＡ−Ａ断面）は、筺体に収容された電子機器に関連する電荷移動コントローラ及びプリント基板（ＰＣＢ）のパッドにＣＳＢＳ上の電極を接続するのに使用されるコネクタを有する。
【図７】図７は、対応するパッドを一緒に押し付ける（展開姿勢を示す）ラバーコーンとともに、ＣＳＢＳ上のパッドと整合するＰＣＢ上の導電パッドを示す。
【図８】図８は、ＣＳＢＳを押さえ付けてＰＣＢへの電気的接続を形成する一つのラバーコーン示すＰＣＢ筐体を通した概略断面図を示す。
【図９】図９は、所定のディスプレイに改良を施すための仕方を示すフローチャートを示す。
【図１】
2009509194.tif 000003
【図２】
2009509194.tif 000004
【図３】
2009509194.tif 000005
【図４】
2009509194.tif 000006
【図５】
2009509194.tif 000007
【図６Ａ】
2009509194.tif 000008
【図６Ｂ】
2009509194.tif 000009
【図７】
2009509194.tif 000010
【図８】
2009509194.tif 000011
【図９】
2009509194.tif 000012
【国際調査報告】
2009509194.tif 000013
2009509194.tif 000014
2009509194.tif 000015
2009509194.tif 000016